(57)【要約】【課題】着用者から排出された体液の引き込み性を高め、装着感の悪化や漏れの発生を抑制することができる吸収性物品を提供する。【解決手段】着用者の股間部に当てられる股下域を備える吸収体を備える吸収性物品１である。吸収体は、第１吸収層を含む第１吸収体１０と、第１吸収体よりも外方向に配置され、第２吸収層を含む第２吸収体２０と、を備える。第１吸収体の幅方向中央には、開口が形成されている。第２吸収体の幅方向中央には、第２吸収層が内方向に凸に曲がることができるように形成された中央曲部が設けられている。第２吸収体は、中央曲部よりも幅方向外側に配置された一対のサイド連結部３１において第１吸収体に連結されている。中央曲部は、前後方向及び前記幅方向の少なくとも一方に、第２吸収層を収縮させるように構成されている。【選択図】図２
2015039394.tif 000002
【特許請求の範囲】
【請求項１】
着用者の身体前側と身体後側とに延びる前後方向と、前記前後方向に直交する幅方向と、前記着用者に向かう内方向及び前記内方向と反対側に向かう外方向を有する厚み方向と、を有し、
着用者の股間部に当てられる股下域を備える吸収体を備える吸収性物品であって、
前記吸収体は、第１吸収層を含む第１吸収体と、前記第１吸収体よりも外方向に配置され、第２吸収層を含む第２吸収体と、を備え、
前記第１吸収体の幅方向中央には、開口が形成されており、
前記第２吸収体の幅方向中央には、前記第２吸収層が内方向に凸に曲がることができるように形成された中央曲部が設けられており、
前記第２吸収体は、前記中央曲部よりも幅方向外側に配置された一対のサイド連結部において前記第１吸収体に連結されており、
前記中央曲部は、前記前後方向及び前記幅方向の少なくとも一方に、前記第２吸収層を収縮させるように構成されている、吸収性物品。
【請求項２】
前記第１吸収体は、前記開口の周囲において、少なくとも前記幅方向又は前記前後方向のいずれか一方に伸縮する開口弾性部材を有する、請求項１に記載の吸収性物品。
【請求項３】
前記第１吸収体は、前記開口よりも前記幅方向両側において、前記第１吸収層が前記前後方向に沿って外方向に凸に曲がることができるように形成された一対の第１サイド曲部を有する、請求項１又は請求項２に記載の吸収性物品。
【請求項４】
前記第２吸収層は、前記厚み方向において前記開口部に重なっている、請求項１から請求項３のいずれかに記載の吸収性物品。
【請求項５】
前記第２吸収体は、前記中央曲部よりも前記幅方向両側において、前記第２吸収層が前記前後方向に沿って外方向に凸に曲がることができるように形成された一対の第２サイド曲部を有する、請求項１から請求項４のいずれかに記載の吸収性物品。
【請求項６】
前記第２吸収体の幅方向の長さは、前記一対のサイド連結部間における前記第１吸収体の幅方向の長さよりも長い、請求項１から請求項５のいずれかに記載の吸収性物品。
【請求項７】
前記吸収体を有する吸収性本体と、
前記股下域の前方に配置される前外装体と、
前記股下域の後方に配置される後外装体と、を有し、
前記吸収性本体は、前記股下域を跨ぎ、かつ前記外装体及び前記後外装体に跨がって配置される、請求項１から請求項６のいずれかに記載の吸収性物品。
【発明の詳細な説明】
【技術分野】
【０００１】
本発明は、第１吸収体と、第１吸収体よりも外方向に配置された第２吸収体とを有する吸収性物品に関する。
【背景技術】
【０００２】
吸収性物品は、着用者の装着感向上や排泄物の漏れ防止を図るため、様々な工夫がなされており、例えば、吸収体を着用者から離間する側に曲げることができる曲部を吸収体に形成した吸収性物品が知られている。
【０００３】
例えば、特許文献１には、第１吸収性コアを有する上側吸収体と、上側吸収体よりも非肌当接面側に位置し、第２吸収性コアを有する下側吸収体と、を有し、第２吸収性コアに上向きの折り目が形成された吸収性物品が記載されている。第１吸収性コアには、開口が形成されている。第２吸収性コアに形成された折り目は、第１吸収性コアの開口の下側に位置するように配置されている。
【先行技術文献】
【特許文献】
【０００４】
【特許文献１】特開２０１１−６７２８３号公報
【発明の概要】
【発明が解決しようとする課題】
【０００５】
しかしながら、上述した吸収性物品においては、以下の問題があった。
【０００６】
一度に大量の尿等の体液が排出された場合に、体液は、第１吸収性コアの開口を通って第２吸収性コアに移行し、第２吸収性コアによって吸収される。しかし、第２吸収性コアによって大量の体液を吸収すると、体液の重みによって第２吸収性コアが垂れ下がり、第２吸収性コアが身体から離れてしまい、迅速に体液を引き込むことができないことがある。
【０００７】
また、第１吸収性コアは、第２吸収性コアが身体から離れた場合であっても、身体に当接した状態を維持することが考えられる。しかし、第１吸収性コアは、着用者の排泄口と当たる股下域の幅方向中央に開口が形成されているため、一度に大量の体液が排出された場合に迅速に体液を吸収できないことがある。
【０００８】
第１吸収性コア及び第２吸収性コアによって円滑に体液を引き込むことができない場合には、体液の漏れが発生したり、排泄物が身体を伝って装着感が悪化したりするおそれがある。
【０００９】
そこで、本発明は、着用者から排出された体液の引き込み性を高め、装着感の悪化や漏れの発生を抑制することができる吸収性物品を提供することを目的とする。
【課題を解決するための手段】
【００１０】
本発明に係る吸収性物品（使い捨ておむつ１）は、着用者の身体前側と身体後側とに延びる前後方向（前後方向Ｌ）と、前記前後方向に直交する幅方向（幅方向Ｗ）と、前記着用者に向かう内方向及び前記内方向と反対側に向かう外方向を有する厚み方向（厚み方向Ｔ）と、を有し、着用者の股間部に当てられる股下域（股下域Ｓ３）を備える吸収体を備える吸収性物品であって、前記吸収体は、第１吸収層（第１吸収層１３）を含む第１吸収体（第１吸収体１０）と、前記第１吸収体よりも外方向に配置され、第２吸収層（第２吸収層２３）を含む第２吸収体（第２吸収体２０）と、を備え、前記第１吸収体の幅方向中央には、開口（第１吸収体開口部１０Ａ、中央開口部１３Ａ）が形成されており、前記第２吸収体の幅方向中央には、前記第２吸収体が内方向に凸に曲がることができるように形成された中央曲部（第２弾性部材２８）が設けられており、前記第２吸収体は、前記中央曲部よりも幅方向外側に配置された一対のサイド連結部（サイド連結部３１）において前記第１吸収体に連結されており、前記中央曲部は、前記前後方向及び前記幅方向の少なくとも一方に、第２吸収層を収縮させるように構成されていることを要旨とする。
【発明の効果】
【００１１】
本開示に係る特徴によれば、着用者から排出された体液の引き込み性を高め、装着感の悪化や漏れの発生を抑制することができる吸収性物品を提供することができる。
【図面の簡単な説明】
【００１２】
【図１】実施形態に係る使い捨ておむつ１の概略斜視図である。
【図２】実施形態に係る使い捨ておむつの展開平面図である。
【図３】図２に示すＡ-Ａ線に沿った使い捨ておむつの幅方向断面図である。
【図４】図２に示すＢ-Ｂ線に沿った使い捨ておむつの前後方向断面図である。
【図５】吸収性本体の平面図である。
【図６】第１吸収体の平面図である。
【図７】第２吸収体の平面図である。
【図８】使い捨ておむつ１（体液吸収前）の着用状態（脚を開いた状態）を模式的に示す断面図（図２のＡ-Ａ線基準）である。
【図９】使い捨ておむつ１（体液吸収後）の着用状態（脚を開いた状態）を模式的に示す断面図（図２のＡ-Ａ線基準）である。
【図１０】使い捨ておむつ１（体液吸収前）の着用状態（脚を閉じた状態）を模式的に示す断面図（図２のＡ-Ａ線基準）である。
【図１１】使い捨ておむつ１（体液吸収後）の着用状態（脚を閉じた状態）を模式的に示す断面図（図２のＡ-Ａ線基準）である。
【図１２】変形例１に係る使い捨ておむつの展開裏面図である。
【図１３】図１２に示すＣ-Ｃ線に沿った使い捨ておむつの幅方向断面図である。
【図１４】変形例２に係る使い捨ておむつの展開平面図である。
【図１５】図１４に示すＤ-Ｄ線に沿った使い捨ておむつの幅方向断面図である。
【図１６】変形例３に係る使い捨ておむつの展開平面図である。
【図１７】変形例４に係る使い捨ておむつの展開平面図である。
【図１８】図１７に示すＥ−Ｅ線に沿った使い捨ておむつの幅方向断面図である。
【発明を実施するための形態】
【００１３】
次に、実施の形態に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１４】
本実施の形態に係る使い捨ておむつ１は、着用者の肌等に当接し、体液を吸収する第１吸収層１３を含む第１吸収体１０と、第１吸収体１０よりも非肌当接面側に配置され、第２吸収層（第２中央吸収層２３及び第２サイド吸収層２４）を含む第２吸収体２０と、を有し、一度に大量の体液が排出された場合であっても、第１吸収体１０と第２吸収体２０とによって体液を迅速に引き込むことができるように構成されている。
【００１５】
（１）使い捨ておむつの全体概略構成
図１は、本実施形態において吸収性物品を構成する使い捨ておむつ１の概略斜視図である。図２は、本実施形態に係る使い捨ておむつ１の展開平面図である。図３は、図２に示すＡ-Ａ線に沿った使い捨ておむつの幅方向断面図である。図４は、図２に示すＢ-Ｂ線に沿った使い捨ておむつの前後方向断面図である。使い捨ておむつ１は、パンツ型の使い捨ておむつである。なお、以下、図２等の平面図においては、図１に示す使い捨ておむつを展開し、使い捨ておむつを構成する表面シートや外装シート等の皺が形成されない状態まで、弾性部材を伸長させた状態の図である。
【００１６】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１７】
使い捨ておむつ１は、図２に示すように、使い捨ておむつ１の前後方向Ｌにおいて、着用者の前胴回りに当てられる前胴回り域Ｓ１と、着用者の後胴回りに当てられる後胴回り域Ｓ２と、着用者の股下に当てられ、前胴回り域Ｓ１と後胴回り域Ｓ２との間に位置する股下域Ｓ３と、を有する。
【００１８】
前胴回り域Ｓ１の使い捨ておむつ１の一方の幅方向外側に位置する前胴回り縁部４が、後胴回り域Ｓ２の一方の幅方向外側に位置する後胴回り縁部６と接合され、かつ他方の幅方向外側に位置する前胴回り縁部４’が、他方の幅方向外側に位置する後胴回り縁部６’と接合されることによって、使い捨ておむつ１がパンツ型に形成される。パンツ型の使い捨ておむつの前胴回り域及び後胴回り域には、互いの縁部が接合された接合部７が形成されており、股下域Ｓ３は、接合部７よりも前後方向内側の域である。
【００１９】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。
【００２０】
使い捨ておむつ１は、吸収性本体１Ａと、外装体１Ｂと、から構成されており、これらは互いに、接着剤や熱融着などによって接合されている。
【００２１】
（２）外装体の構成
外装体１Ｂは、吸収性本体１Ａに接合され、かつ少なくとも前胴回り域に配置される前外装体１ＢＦと、吸収性本体１Ａに接合され、かつ少なくとも後胴回り域に配置される後外装体１ＢＲと、前外装体１ＢＦと後外装体１ＢＲとを繋ぎ、かつ少なくとも股下域に配置されるセンター外装体１ＢＣと、を有する。
【００２２】
前外装体１ＢＦは、前側外装トップシート７０Ｆ及び前側外装バックシート８０Ｆを備えている。後外装体１ＢＲは、後側外装トップシート７０Ｒ及び後側外装バックシート８０Ｒを備えている。センター外装体１ＢＣは、センター外装シート１００を有する。前外装体１ＢＦと、後外装体１ＢＲとは、前後方向に離間している。前外装体１ＢＦと後外装体１ＢＲとが離間した領域では、センター外装体１ＢＣの非肌接側の面が露出している。
【００２３】
なお、外装体１Ｂは、センター外装体１ＢＣを備えずに前外装体１ＢＦと後外装体１ＢＲとが分離されていてもよいし、前外装体１ＢＦと後外装体１ＢＲとが一体化されていてもよい。
【００２４】
前側外装トップシート７０Ｆ及び後側外装トップシート７０Ｒは、着用時において内側に位置する、つまり、着用者の肌側に配置される。前側外装トップシート７０Ｆ及び後側外装トップシート７０Ｒは、エアスルー不織布、スパンボンド不織布、ＳＭＳ不織布、防水フィルムなどによって形成できる。本実施形態に係る前側外装トップシート７０Ｆ及び後側外装トップシート７０Ｒは、ポリプロピレンからなる目付１５g/m2のSMS不織布によって構成されている。
【００２５】
前側外装バックシート８０Ｆ及び後側外装バックシート８０Ｒは、着用時において外側に位置する、つまり、着用者の肌から離れる側に配置される。前側外装バックシート８０Ｆ及び後側外装バックシート８０Ｒの前後方向外側端部は、肌当接面側に折り返され、前側外装トップシート７０Ｆ（又は後側外装トップシート７０Ｒ）の前後方向の外側端部を包むように配置される。前側外装バックシート８０Ｆの前側端部、及び後側外装バックシート８０Ｒの後側端部は、それぞれ折り返された状態で前側外装トップシート７０Ｆ及び後側外装トップシート７０Ｒに接合されている。
【００２６】
前側外装バックシート８０Ｆ及び後側外装バックシート８０Ｒは、エアスルー不織布、スパンボンド不織布、ＳＭＳ不織布、防水フィルムなどによって形成できる。本実施形態に係る外装バックシートは、ポリプロピレンからなる目付１７g/m2のスパンボンド不織布によって構成されている。
【００２７】
センター外装シート１００は、不織布からなる。具体的には、センター外装シート１００は、ポリプロピレンからなる目付１９g/m2のスパンボンド不織布によって構成されている。
【００２８】
センター外装シート１００は、前外装体１ＢＦと後外装体１Ｂに跨がって配置されている。センター外装シート１００の前側端部は、前側外装トップシート７０Ｆと吸収性本体１Ａとの間に配置され、センター外装シート１００の後側端部は、後側外装トップシート７０Ｒと吸収性本体１Ａの間に配置される。
【００２９】
前胴回り域Ｓ１及び後胴回り域Ｓ２には、幅方向Ｗに沿って伸縮する合成ゴムなどの細長いウエスト弾性部材３Ａとフィット弾性部材３Ｂが配置されている。ウエスト弾性部材３Ａとフィット弾性部材３Ｂは、前胴回り域Ｓ１における使い捨ておむつ１の幅方向Ｗ外側に位置する一方の前胴回り縁部４から他方の前胴回り縁部４‘まで連続し、後胴回り域Ｓ２における使い捨ておむつ１の幅方向Ｗ外側に位置する一方の後胴回り縁部６から他方の後胴回り縁部６‘まで連続する。
【００３０】
ウエスト弾性部材３Ａ及びフィット弾性部材３Ｂは、前側外装トップシート７０Ｆと前側外装バックシート８０Ｆの間、及び後側外装トップシート７０Ｒと後側外装バックシート８０Ｒの間に、伸長された状態で接着剤（例えばホットメルト型接着剤）によって固定されている。ホットメルト型接着剤は、0.03g/mの塗工量で塗工されている。
【００３１】
ウエスト弾性部材３Ａ及びフィット弾性部材３Ｂは、スパンデックスによって構成されている。ウエスト弾性部材３Ａは、７８０ｄｔｅｘの太さ、３．５倍の伸長倍率で伸長固定される。ウエスト弾性部材３Ａの本数は、前胴回り域に５本、後胴回り域に５本である。フィット弾性部材３Ｂは、前胴回り域のウエスト弾性部材３Ａの後側、及び後胴回り域のウエスト弾性部材３Ａの前側に、それぞれ設けられる。フィット弾性部材３Ｂは、７８０ｄｔｅｘの太さ、３．０倍の伸長倍率で伸長固定される。フィット弾性部材３Ｂの本数は、前胴回り域に１３本、後胴回り域に１５本である。
【００３２】
脚回り開口部９の周囲には、レッグギャザーが設けられる。レッグギャザーの少なくとも一部は、脚回り開口部９に沿って配置されている。レッグギャザーは、前胴回り域Ｓ１に配置される前レッグ弾性部材５Ｆと、後胴回り域Ｓ２に配置される後レッグ弾性部材５Ｒと、によって構成されている。
【００３３】
後レッグ弾性部材５Ｒ及び前レッグ弾性部材５Ｆは、前後方向中心側に向かうにつれて幅方向外側から幅方向内側に向かうように配置されている。後レッグ弾性部材５Ｒと前レッグ弾性部材５Ｆの幅方向中央は、分断されている。後レッグ弾性部材５Ｒと前レッグ弾性部材５Ｆは、幅方向に非連続である。
【００３４】
前レッグ弾性部材５Ｆは、前側外装トップシート７０Ｆと前側外装バックシート８０Ｆとの間に、伸長された状態で接着剤（例えばホットメルト型接着剤）によって固定されている。後レッグ弾性部材５Ｒは、後側外装トップシート７０Ｒと後側外装バックシート８０Ｒとの間に、伸長された状態で接着剤（例えばホットメルト型接着剤）によって固定されている。本実施形態では、スパイラル方式でホットメルト接着剤が塗工されている。
【００３５】
前レッグ弾性部材５Ｆ及び後レッグ弾性部材５Ｒは、スパンデックスによって構成されている。前レッグ弾性部材５Ｆ及び後レッグ弾性部材５Ｒは、７８０ｄｔｅｘの太さ、１．５〜３．５倍の伸長倍率で前後それぞれ３本伸長固定される。なお、前レッグ弾性部材５Ｆ及び後レッグ弾性部材５Ｒの太さ、伸長倍率及び本数は、上記に限られず、種々設定することができる。
【００３６】
（３）吸収性本体の構成
次いで、吸収性本体１Ａの構成について説明する。図５は、吸収性本体の平面図である。図６は、第１吸収体の平面図である。図７は、第２吸収体の平面図である。
【００３７】
吸収性本体１Ａは、股下域Ｓ３を跨ぎ、かつ前胴回り域Ｓ１及び後胴回り域Ｓ２に跨がって配置される。吸収性本体１Ａは、外装体１Ｂの肌当接側の面に接合されている。例えば、吸収性本体１Ａと外装体１Ｂは、ホットメルト型接着剤によって接合される。なお、吸収性本体は、着脱自在に外装体に接合されていてもよい。例えば、フックとループの係止システムにおける一方を外装体に設け、他方を吸収性本体に設け、吸収性本体を外装体に対して着脱自在に構成してもよい。このように、吸収性本体を外装体に対して着脱自在に構成することにより、吸収性本体のみを容易に着脱できる。
【００３８】
吸収性本体１Ａは、第１吸収層を含む第１吸収体１０と、第１吸収体１０よりも外方向に配置され、第２吸収層を含む第２吸収体２０と、を備える。第２吸収体２０は、サイド連結部３１を介して第１吸収体１０の非肌当接面に接合されている。
【００３９】
（４）第１吸収体の構成
第１吸収体１０は、第１表面シート１１と、第１裏面シート１２と、第１表面シート１１と第１裏面シート１２との間に配置された第１吸収層１３と、前後方向に収縮する第１前後弾性部材１５と、幅方向に収縮する第１幅弾性部材１６と、第１幅弾性部材１６を覆う第１カバーシート１４と、第１吸収層１３等の幅方向側部を覆うサイド防漏シート１７と、サイド防漏シートを覆うサイドカバーシート１８と、サイド防漏シート１７とサイドカバーシート１８との間に配置されたサイド防漏弾性部材１９と、を有する。
【００４０】
第１表面シート１１は、着用者の肌に直接的に接する肌当接面を構成する。第１表面シート１１は、親水性の不織布シートからなる。第１表面シート１１は、第１吸収層１３よりも肌当接面側に配置される。第１表面シート１１は、親水性不織布や織物、開口プラスチックフィルム、開口疎水性不織布などの液透過性のシートによって構成されている。本実施の形態の第１表面シート１１は、PP(ポリプロピレン)からなる目付１８g/m2の親水性スパンボンド不織布18g/m2である。
【００４１】
第１裏面シート１２は、第１吸収層１３の外方向ＯＵＴ側（非肌当接面側）に設けられている。第１裏面シート１２は、親水性の不織布シートからなる。第１裏面シート１２は、親水性不織布や織物、開口プラスチックフィルム、開口疎水性不織布などの液透過性のシートによって構成されている。本実施の形態の第１裏面シート１２は、PP(ポリプロピレン)からなる目付１１g/m2の親水性SMS不織布である。
【００４２】
第１吸収層１３は、粉砕パルプや高吸収性ポリマー（以下、ＳＡＰとする）などの混合粉体によって形成される。第１吸収層１３は、熱可塑性繊維(短繊維,長繊維,連続)や発泡ポリウレタンを含んでいてもよい。本実施形態の第１吸収層１３は、目付200g/m2のパルプ、目付100g/m2のＳＡＰによって構成され、その厚みは、2.2mmである。第１吸収層１３の構成は、これに限定されず、パルプ等の目付や厚みを適宜変更できる。また、第１吸収層１３は、複数層で構成されていてもよいし、エアレイドシートによって構成されていてもよい。また、第１吸収層１３は、コアラップを有していなくてもよい。
【００４３】
第１吸収層１３は、略略砂時計型の形状である。第１吸収層１３の形状は、当該形状に限られず、長方形であってもよいし、股下域の少なくとも一部に幅方向内側にくびれたくびれ部を有する形状であってもよい。
【００４４】
サイド防漏シート１７、サイドカバーシート１８及びサイド防漏弾性部材１９は、吸収体の横漏れを防ぐ防漏カフを構成する。防漏カフは、第１吸収体１０の幅方向の両端部において、前後方向に沿って設けられている。
【００４５】
サイド防漏シート１７は、第１吸収層１３等の幅方向側部を覆う液不透過性のシート材である。サイド防漏シート１７の幅方向の両端部は、それぞれ第１表面シート１１の肌当接面側に配置されている。サイド防漏シート１７は、液不透過性フィルムなど（例えば、ポリエチレン）のシートによって構成されている。なお、サイド防漏シートは、必ずしも設けられていなくてもよい。本実施の形態のサイド防漏シート１７は、通気性を有する目付20g/m2のPE（ポリエチレン）フィルムシートである。
【００４６】
サイドカバーシート１８は、サイド防漏シート１７を覆う液不透過性のシート材である。サイドカバーシート１８の幅方向の両端部は、それぞれサイド防漏シート１７と共に第１表面シート１１の肌当接面側に折り返されている。サイドカバーシート１８は、疎水性の不織布によって構成されている。サイドカバーシート１８の一端は、第１表面シート１１にホットメルト型接着材によって接合される。本実施の形態のサイドカバーシート１８は、PPからなる目付１5g/m2のSMS不織布である。
【００４７】
サイド防漏弾性部材１９は、前後方向に伸長された状態で配置されている。サイド防漏弾性部材１９は、第１吸収層１３の非肌当接面側の両側部に配置されている。サイド防漏弾性部材１９は、サイド防漏シート１７とサイドカバーシート１８との間にＨＭＡ型接着剤を介して伸長固定されている。本実施の形態のサイド防漏弾性部材１９は、スパンデックスによって構成され、780dtexの太さ、3.0倍の伸張率であり、片側2本ずつ配置されている。
【００４８】
サイド防漏弾性部材１９の前側は、第１吸収体１０の前側端部付近まで延び、サイド防漏弾性部材１９の後側は、吸収体の幅が略最大となる位置まで延びる。吸収体の幅方向の端部とサイド防漏弾性部材１９との間領域が、着用時には上方に起立し、漏れモレを防ぐことができる。
【００４９】
第１吸収層１３には、中央開口部１３Ａと、一対のサイドスリット１３Ｂと、が形成されている。中央開口部１３Ａ及びサイドスリット１３Ｂは、前後方向に沿って形成されている。中央開口部１３Ａは、第１吸収層１３の幅方向中心を跨いで形成されている。サイドスリット１３Ｂは、中央開口部１３Ａよりも幅方向外側に配置されている。第１吸収層１３は、サイドスリット１３Ｂの中央開口部側と、サイドスリット１３Ｂの幅方向外側とに配置される。
【００５０】
サイドスリット１３Ｂは、第１サイド曲部を構成する。第１吸収層１３に形成された中央開口部１３Ａ及びサイドスリット１３Ｂによって、使い捨ておむつ１が着用された際に、第１吸収体１０が曲がるように構成されている。具体的には、第１吸収体は、中央開口部１３Ａを介して肌当接面側に凸状に変形し、サイドスリット１３Ｂを介して非肌当接面側に凸形状に変形する。
【００５１】
中央開口部１３Ａの大きさは、後述する第１吸収体開口部１０Ａの大きさに応じて適宜設定できる。中央開口部の幅方向の長さは、例えば、３０〜１２０ｍｍである。中央開口部の前後方向の長さは、例えば、１２０〜３２０ｍｍである。本実施の形態の中央開口部13Aの幅方向の長さは、60mmである。中央開口部13Aの前後方向の長さは、220mmである。
【００５２】
サイドスリット１３Ｂの幅方向の長さは、例えば、３〜１８ｍｍである。サイドスリット１３Ｂの前後方向の長さは、例えば、７０〜２５０ｍｍである。本実施の形態のサイドスリット１３Ｂの幅方向の長さは、１２ｍｍである。サイドスリット１３Ｂの前後方向の長さは、１２０ｍｍである。
【００５３】
また、第１吸収層１３は、着用時に、サイドスリット１３Ｂを基点に起立するように構成されている。そのため、サイドスリット１３Ｂの前後方向の長さが長すぎると、第１吸収層が起立する前後方向の長さが長くなり過ぎ、特に臀部側では、吸収体が内側によれて、その幅が狭くなることがある。よって、漏れが発生し易くなる。一方、サイドスリット１３Ｂの前後方向の長さが短すぎると、第１吸収層が起立する前後方向の長さが短くなり過ぎ、吸収体を幅方向に折り畳み難くなったり、防漏カフの起立性が悪くなったりする。なお、中央開口部１３Ａ及びサイドスリット１３Ｂは、湾曲する形であったり、斜め線であったりしてもよい。
【００５４】
なお、長さの測定方法は、例えば、以下の方法によって測定できる。なお、使い捨ておむつの測定は、パッケージから取り出した状態であっても、所定の温度、湿度の条件下に置いた状態でも長さの測定値に影響が出ない。よって、任意の状態で測定可能である。吸収性本体１Aを前後方向に伸ばし、吸収性本体１Aを前後方向に伸ばした状態で測定する。外装体と吸収性本体が重なっていて、外装体の弾性部材で吸収性本体が縮んでいる場合は、外装体の資材の皺が伸びきるまでと、吸収性本体１Aの資材の皺が伸びきるまでは必ずしも一致しないので、吸収性本体１Aの資材の皺が伸びきるまで伸長する。
【００５５】
なお、本実施の形態の第１サイド曲部は、第１吸収層１３に形成されたスリットであるが、第１サイド曲部の構成は、これに限定されない。例えば、第１サイド曲部は、第１吸収層において周囲の第１吸収層の目付よりも低い目付である低目付域、第１吸収層を厚み方向において圧搾した圧搾部及び第１吸収層において周囲の第１吸収層と目付が異なる目付境界部のうち、いずれかによって構成されていてもよい。
【００５６】
圧搾部は、第１吸収層の少なくとも一部が厚み方向に圧搾されていればよく、第１吸収層全体が厚み方向に圧搾されていてもよいし、第１表面シート及び第１吸収層が厚み方向に圧搾されていてもよい。
【００５７】
第１吸収体１０には、第１吸収体開口部１０Ａが形成されている。第１吸収体開口部１０Ａは、着用時に着用者の股間部、女性の排泄口に当たる部分に配置される。第１吸収体開口部１０Ａは、第１表面シート１１、第１裏面シート１２に形成された開口である。第１吸収体開口部１０Ａは、吸収体の幅方向の中心を跨ぎ、前後方向に延びている。第１吸収体開口部１０Ａは、第１表面シート１１及び第１裏面シート１２を貫通する開口部であり、第１吸収体１０の構成部材が全て組み立てられた後にカットされる。第１吸収体開口部１０Ａに重なる位置には、第１吸収層１３の中央開口部１３Ａが形成されている。
【００５８】
第１吸収体開口部１０Ａの開口縁では、第１表面シート１１及び第１裏面シート１２が接合されている。第１表面シート１１と第１裏面シート１２が接合されているため、第１吸収層１３が露出することを防止できる。例えば、第１表面シート又は第１裏面シートに接着剤を塗工してプレスすることにより、第１表面シートと第１裏面シートを強固に接合することが望ましい。又は、第１表面シートと第１裏面シートの開口部の周縁部を熱シールしてもよい。
【００５９】
第１吸収体開口部１０Ａは、前後方向に延びている。第１吸収体開口部１０Ａ幅方向の長さは、３０ｍｍである。第１吸収体開口部１０Ａの前後方向の長さは、１９０ｍｍである。後述するように、第１吸収体開口部１０Ａを介して、第２吸収体が着用者側に突出する。よって、第１吸収体開口部１０Ａの大きさは、第２吸収体２０の中央部分が肌当接面側に凸形状に変形した際に、第１吸収体開口部１０Ａから第２吸収体２０が突起できる十分な大きさが必要である。しかし、第１吸収体開口部１０Ａが大き過ぎると、第１吸収層１３の面積を十分に確保できず、第１吸収層１３からの外漏れが発生しやすくなる。
【００６０】
また、第１吸収体開口部１０Ａの後側端部が後方に長過ぎると、臀部側で第２吸収体２０が突出し、また第１吸収体開口部１０Ａを介して第２吸収体２０が肌に触れる面積が広くなる。よって、一旦第２吸収層で拡散した体液が、肌側に逆戻りし易くなることがある。第１吸収体開口部１０Ａの面積をできるだけ小さく、かつ第１吸収体開口部１０Ａから第１吸収層へ溢れ出る体液を抑えることにより、液の逆戻りを少なくすることができ、肌の汚れを防ぐことができる。また、第１吸収体開口部１０Ａの後側端部が後方に長過ぎると、着用者のお尻によって第１吸収体開口部の後側端部が押さえられ、第１吸収体開口部１０Ａと第２吸収層との隙間が得られにくくなる。よって、着用者から排泄された体液が第２吸収層に流れずに第１吸収体に溢れやすくなる。
【００６１】
また、第１吸収体開口部１０Ａが小さすぎると、第２吸収体２０が、第１吸収体開口部１０Ａから突出し難くなり、第２吸収体２０に体液を円滑に移行できない。このような観点から、第１吸収体開口部１０Ａの幅方向の長さは、10〜100mm、第１吸収体開口部１０Ａの前後方向の長さは、100〜300mmの範囲であることが好ましい。また第１吸収体開口部１０Ａの形状は、略長方形であってもよいし、湾曲していてもよいし、幅方向に垂直方向にのびていてもよいし、斜め方向にのびていてもよい。さらに第１吸収体開口部１０Ａは、単に切り込みでもよく、その形状は、直線状であっても波線でも構わない。
【００６２】
第１表面シート１１は、液透過性のシートであるため、当該第１表面シート１１の下方に位置する第１吸収層１３に体液を透過できる。第１裏面シート１２は、液透過性のシートであるため、当該第１裏面シート１２の下方に位置する第２吸収体２０に体液を透過できる。
【００６３】
第１吸収体開口部１０Ａの周縁部には、第１前後弾性部材１５及び第１幅弾性部材１６が伸張固定されている。第１前後弾性部材１５及び第１幅弾性部材１６は、開口弾性部材を構成する。第１前後弾性部材１５及び第１幅弾性部材１６を配置することにより、第１吸収体開口部１０Ａと、第１吸収体開口部１０Ａから突起して露出する第２吸収体との間に隙間ができやすくなる。
【００６４】
第１前後弾性部材１５は、第１吸収体開口部１０Ａの幅方向の側部において前後方向に沿って配置される。第１前後弾性部材１５は、第１吸収体開口部１０Ａの縁部よりも幅方向外側であって、中央開口部１３Ａの縁部よりも幅方向内側に位置する。第１前後弾性部材１５は、サイド防漏シート１７とサイドカバーシート１８の間に伸長固定されている。
【００６５】
第１幅弾性部材１６は、第１吸収体開口部１０Ａの前後方向の側部において幅方向に沿って配置される。第１幅弾性部材１６は、第１吸収体開口部１０Ａの縁部よりも前後方向外側であって、中央開口部１３Ａの縁部よりも前後方向内側に位置する。第１幅弾性部材１６は、第１裏面シート１２と第１カバーシート１４との間に伸長固定されている。
【００６６】
第１前後弾性部材１５及び第１幅弾性部材１６は、合成ゴムや、スパンデックス、また伸縮不織布シートなどが用いられる。本実施形態の第１前後弾性部材１５及び第１幅弾性部材１６は、スパンデックスによって構成されている。第１前後弾性部材１５及び第１幅弾性部材１６は、６２０ｄｔｅｘの太さ、２．５倍の伸長倍率で伸長固定される。第１前後弾性部材１５の本数は２本である。第１幅弾性部材１６の本数は、２本である。第１前後弾性部材１５及び第１幅弾性部材１６は、ホットメルト接着剤によって固定される。本実施形態では、Vスロット方式で、0.03g/mの塗工量でホットメルト接着剤が塗工されている。
【００６７】
第１カバーシート１４は、第１幅弾性部材１６を被覆できるように部分的に配置される。第１カバーシート１４には、不織布シートが用いられる。本実施形態の第１カバーシート１４は、親水性の目付10g/m2のSMS不織布を用いた。第１カバーシート１４は、第１裏面シート１２の非肌当接面側に配置される。第１カバーシート１４は、第１カバーシート１４側にホットメルト接着剤を塗工することで、第１裏面シート及び第１幅弾性部材１６に固定される。ホットメルト接着剤の塗工は、コントロールシーム方式であり、その塗工量は、1.5g/m2である。なお、第１幅弾性部材１６が配置される部分は、非塗工領域としてもよい。
【００６８】
第１前後弾性部材１５が収縮する長さは、第１吸収体開口部１０Ａの前後方向の長さと略同じ長さであることが好ましい。第１幅弾性部材１６が収縮する長さは、第１吸収体開口部１０Ａの幅方向の長さよりも若干長めの長さであることが好ましい。第１前後弾性部材１５及び第１幅弾性部材１６は、第１吸収体開口部１０Ａの前後方向全体を起立させるために設けられている。例えば、第１吸収体開口部１０Ａの長さに対して、第１前後弾性部材１５及び第１幅弾性部材１６の長さが短過ぎると、第１吸収体開口部１０Ａの周縁を十分に起立させることができない。第１吸収体開口部１０Ａの周縁が十分に起立しない場合には、第１吸収体開口部１０Ａと第２吸収層との隙間を確保できず、着用者から排泄された体液が第２吸収層に流れずに第１吸収体に溢れやすくなる。また、第１吸収体に液が溢れ出やすくなる。また、第１吸収体開口部１０Ａの長さに対して、第１前後弾性部材１５及び第１幅弾性部材１６の長さが長すぎると、第１吸収層と共に収縮し、第１吸収層に皺が生じることがある。よって、着用感が悪化したり、吸収性が悪化したりするおそれがある。
【００６９】
このように構成された第１吸収体は、第１前後弾性部材の収縮によってサイドスリットよりも幅方向内側に位置する第１吸収層１３が肌当接面側に起立する。また、サイド防漏弾性部材１９の収縮によって中央開口部１３Ａよりも前後方向外側に位置する第１吸収層１３が肌当接面側に起立する。更に、第１吸収体は、第１幅弾性部材の収縮によってサイドスリットよりも幅方向外側に位置する第１吸収層１３が肌当接面側に起立する。このように第１吸収層１３が規則的に変形し、第１吸収層１３が違和感なく身体にフィットする。
【００７０】
（５）第２吸収体の構成
次いで、第２吸収体２０の構成について説明する。図７は、第２吸収体２０の平面図である。第２吸収体２０は、第２表面シート２１と、第２裏面防漏シート２２と、第２表面シート２１と第２裏面防漏シート２２との間に配置された第２吸収層（第２中央吸収層２３、第２サイド吸収層２４）と、第２吸収層裏面シート２５と、補助シート２６と、第２カバーシート２７と、第２弾性部材２８と、を有する。第２吸収体は、複数の折り基点が形成されている。第２吸収層は、第２中央吸収層２３と、第２サイド吸収層２４とから構成されている。
【００７１】
図７は、第２吸収体が折り畳まれた状態の平面図である。当該状態において、第２吸収体は、一対の折り目ＦＬを介して幅方向内側に折り畳まれている。第２吸収体の前後方向の長さは、第１吸収体の前後方向の長さと同じである。第２吸収体２０の幅方向の長さは、図７等に示す折り畳み状態では、第１吸収体の幅方向の長さよりも短い。第２吸収体を展開した状態では、第２吸収体の幅方向の長さは、第１吸収体の幅方向の長さよりも長い。
【００７２】
本実施の形態の第２吸収体の展開状態の幅方向の長さは、２６０ｍｍであり、第２吸収体の折り畳み状態の幅方向の長さは、１５０ｍｍである。第２吸収体の前後方向の長さは、５００ｍｍである。第２吸収層の展開状態の幅方向の長さは、２００ｍｍである。第２吸収層の前後方向の長さは、４００ｍｍである。なお、第２吸収体２０及び第２吸収層の大きさは、適宜設定できる。
【００７３】
第２吸収層は、第２中央吸収層２３と、第２サイド吸収層２４と、から成る。第２中央吸収層２３は、装着時に第１吸収体開口部１０Ａから肌当接面側に突起し、肌に密着する部分である。第２サイド吸収層２４は、第２中央吸収層２３の幅方向外側に位置する。
【００７４】
第２中央吸収層２３は、パルプとSAPの混合体である。本実施形態の第２中央吸収層２３は、目付200g/m2のパルプ、目付100g/m2のＳＡＰによって構成されている。パルプによって、体液を瞬間吸収し、第１吸収体に体液が溢れ出ないようにするために、パルプとＳＡＰとから第２中央吸収層２３が構成される。
【００７５】
第２サイド吸収層２４は、SAPのみで構成される。本実施形態の第２サイド吸収層２４は、目付200g/m2のＳＡＰによって構成されている。サイド連結部の間における第1吸収体の裏面側の幅方向長さに対して、第2吸収体の表面側の幅方向長さの方が長く、着用時には第２サイド吸収層２４は第2吸収体の下方に位置し、第２サイド吸収層２４と第1吸収体の裏面シートとの間には空間が設けられている。第２サイド吸収層に流れ込んだ体液を、一時空間に貯水することができるので、時間をかけて吸収することができる。空間ができているので、パルプに比べて吸収スピードが遅いSAPのみを配置していても、外モレすることなく吸収できる。また肌から離れた空間で貯水し吸収するので、吸収するまでの間、肌が濡れることもない。また、第２サイド吸収層２４がＳＡＰのみによって構成されているため、第２サイド吸収層２４の厚みを抑え、装着時の嵩を抑えることができる。
【００７６】
本実施の形態の第２中央吸収層２３の幅方向の長さは、８０mm，前後方向の長さは400mmである。第２サイド吸収層２４の幅方向の長さは、左右それぞれ60mmである。各第２サイド吸収層２４の前後方向の長さは、400mmである。
【００７７】
なお、第２サイド吸収層のＳＡＰの目付は、20〜550g/m2が好ましい。例えば、第２サイド吸収層のＳＡＰの目付が低いと、吸収性能を十分に発揮できない。一方、第２サイド吸収層のＳＡＰの目付が高すぎると、ＳＡＰが十分に膨れることができず、吸収効率が悪く(吸収倍率が低く)なる。対象とする使用者の排泄量や排泄スピードによって、第２吸収体の寸法や第２吸収層の吸収容量等を調整できる。例えば、一気に多量の排泄物を貯水する場合には、第２吸収体の寸法を大きくすることが好ましい。
【００７８】
本実施形態の第２中央吸収層のSAPの量は、３．２ｇであり、第２サイド吸収層のSAPの量は、左右両方で９．６ｇである。第２吸収体のＳＡＰの量は、製品１個あたり、１２．８ｇとなる。例えば、尿吸収倍率が30倍のＳＡＰを用いた場合は、第2吸収層で約400gの尿を吸収可能となる。吸収量400g以上の高吸収量タイプの吸収性物品を対象にすると、本発明のモレにくく、着用時の違和感がなく、さらに排泄後に肌が濡れずに快適という効果をより実感できる。
【００７９】
第１吸収体と第２吸収体を合わせた吸収体の保水量は、４００ｇ以上である。本実施の形態における「保水量」とは、吸収体が吸収した水分を保持できる最大の水量を意味し、具体的には、１５０Ｇで脱水した場合であっても保持できる水量である。保水量は、具体的には次のような測定方法により求めることができる。
【００８０】
先ず、使用器具として、生理食塩水（０.９％ＮａＣｌ溶液）、アクリル板（目安寸法３２０×５４５ｍｍ、厚み３ｍｍ〜５ｍｍ、重量４００ｇ〜６００ｇ）、脱水機（１５０Ｇ）、金網（標準金網：開孔５φ、孔間距離５ｍｍ）を準備する。次いで、測定対象の試料を採取する。具体的には、ウエスト弾性部材、フィット弾性部材、レッグ弾性部材等の弾性部材を切断して、おむつを平にし、その後で、おむつ１枚の重量を測定する。切断の際には、吸収体まで切断しないように十分注意する。また、試料の採取数は、ｎ＝５とする。
【００８１】
手順としては、先ず、おむつの吸収体を下に向けた状態で生理食塩水約２０Ｌ中に手で押しながら浸漬させる。生理食塩水は、おむつ６枚まで測定が可能であり、それ以上は濃度が変化してしまうため、交換が必要である。おむつを浸漬させた後、その状態で３０分間放置する。３０分経過後、おむつを取り出し、外装体１Ｂが内側になるように折り返して、ウエストギャザーをクリップで挟み、竿につるす。この状態で１０分間放置する。１０分経過後、おむつの重量を測定し、初期の重量との差から、吸水量が求まる。次いで、上記の処置を施して吸水量を求めたおむつ（３枚まで）を、脱水機内に入れ、吸収体を外に向けておむつ同士が重ならないように並べ、９０秒間、１５０Ｇの脱水を行う。脱水後、おむつの重量を測定し、初期の重量との差から、保水量が求まる。
【００８２】
第２中央吸収層２３の非肌接面側には、第２弾性部材２８が配置されている。第２弾性部材２８は、中央曲部を構成する。第２弾性部材２８は、第２吸収体２０の幅方向における中央部において、第１吸収体開口部１０Ａと重なるように配置されている。第２弾性部材２８は、厚み方向において第２カバーシート２７と第２裏面防漏シート２２の間に伸張固定されている。第２弾性部材２８は、スパンデックスによって構成され、620dtexの太さ、２．０倍の伸長率である。第２弾性部材は、前後方向に沿って配置され、幅方向に間隔を空けて５本配置されている。第２弾性部材の前後方向の長さは、１２０ｍｍである。第２弾性部材２８が収縮することにより、第２弾性部材２８と重なる第２中央吸収層２３が肌当接面側に起立する。
【００８３】
第２中央吸収層２３を肌当接面側により好適に起立させるために、第２弾性部材に重なるように、第２中央吸収層２３にスリットを設けてもよい。特に、第２吸収層を２層以上で構成する場合には、スリットを形成することによって、第２吸収層がより変形しやすくなる。なお、第２吸収層にスリットを形成する構成に代えて、第２吸収層において周囲の第2吸収層の目付よりも低い目付である低目付領域を形成してもよいし、第２吸収層を厚み方向において圧搾した圧搾部を形成してもよいし、第２吸収層において周囲の第２吸収層と目付が異なる目付境界部を形成してもよい。
【００８４】
第２弾性部材２８は、ホットメルト接着剤によって固定される。本実施形態では、Vスロット方式で、0.03g/mの塗工量でホットメルト接着剤が塗工されている。中央弾性部材は、スナップバック方式にて配置される。スナップバック方式は、以下の方式である。連続したシート上に中央弾性部材を構成する弾性部材を連続的に供給する。このとき、弾性部材の伸縮させる部分にのみに接着剤を塗工する。弾性部材の収縮させない部分には、接着剤は塗らないようにする。弾性部材を切断した状態で、弾性部材の長手方向端部に位置する部分は、口開き防止程度に低目付で接着剤を塗工する。吸収体をのせ別シートを重ね挟み込んだ後、１ピース分切断する。弾性部材は、切断されることによって伸縮させる部分を除き収縮し、切断された端部が内側に移動して、収縮させる部分に配置される。
【００８５】
このようなスナップバック方式では、弾性部材が配置されない部分（切断される端部近傍）には、接着剤が多く塗工されない。よって、弾性部材が配置されない部分（切断される端部近傍）から排泄物（液）が滲み出すおそれがある。排泄物（液）がにじみ出ることを抑制するために、第２裏面防漏シート２２の非肌当接面側に第２カバーシート２７を配置し、第２裏面防漏シート２２と第２カバーシート２７の間に配置することにより、使い捨ておむつの外側に排泄物（液）がにじみ出ることを抑制できる。第なお、中央弾性部材の断面方向における位置はみ、実施形態の位置に限らない。
【００８６】
また、第２弾性部材２８を伸縮不織布によって構成し、第２弾性部材２８を部分的に配置する場合には、第２表面シート２１と第２吸収層裏面シート２５の間、あるいは第２吸収層裏面シート２５と第２裏面防漏シート２２の間であってもよい。なお、第２中央吸収層２３の内面又は外面に、吸収シート（ティッシュ）を設けてもよいし、第２サイド吸収層２４の内面又は外面に、吸収シート（ティッシュ）を設けてもよい。吸収シート（ティッシュ）を設けることにより、体液の拡散効果を得ることができ、第２中央吸収層２３等の全面で体液を吸収し易くなる。
【００８７】
第２表面シート２１は、第１表面シート１１と同様に、親水性不織布や織物、開口プラスチックフィルム、開口疎水性不織布などの液透過性のシートによって形成される。本実施形態の第２表面シート２１は、PP(ポリプロピレン)からなる親水性スパンボンド不織布18g/m2が用いられる。
【００８８】
第２裏面防漏シート２２は通気性を有する目付２０ｇ/ｍ２のポリエチレンフィルムシートを用いた。本実施形態の第２吸収層裏面シート２５は、ポリプロピレンからなる目付10g/m2の親水性SMS不織布を用いた。
【００８９】
補助シート２６は、第１吸収体開口部１０Ａと重なる部分に配置されている。補助シート２６は、体液の引き込み性を高めるように構成されている。補助シート２６を配置することによって、体液の吸収スピードを速くでき、リウェット性(吸収後の液逆戻り)を向上させることができる。本実施形態の補助シート２６は、親水性の目付３０ｇ/ｍ２のエアスルー不織布を用いた。体液を受け止める場所に補助シートを配置することにより、瞬間的に体液を引き込み、第２表面シート上の液流れを抑え、速やかに第2吸収層へと移行，拡散させることができる。補助シート２６は、例えば、第２表面シート２１の非肌当接面と補助シートに塗工したホットメルト接着剤によって接合される。
【００９０】
第２中央吸収層２３と第２サイド吸収層２４は、それぞれ前後方向に連続して配置される。第２中央吸収層２３の幅方向外側端部に、第２サイド吸収層２４の幅方向内側端部が隣接している。このような構成によれば、第１吸収体開口部と重なる位置で一旦受け止めた体液を、前後方向に拡散しつつ幅方向外側に移行させ、第２吸収層全面で保水することができる。
【００９１】
第２中央吸収層２３の幅方向の外側端部には、折り基点となる一対の第２吸収層折り基点２３Ａが形成されている。第２吸収層折り基点２３Ａは、第２サイド曲部を構成する。折り基点は、第２中央吸収層２３と第２サイド吸収層２４との境界である。折り基点は、補助シート２６の幅方向端部に一致している。第２吸収層折り基点２３Ａは、第２中央吸収層の前後方向全域に形成されている。第２吸収層折り基点２３Ａを形成することにより、第２吸収層折り基点２３Ａを起点に、すなわち第２中央吸収層２３と第２サイド吸収層２４との境界線を起点に、第２吸収層が変形し易くなる。
【００９２】
なお、第２吸収層折り基点２３Ａは、第２吸収層に形成される吸収体スリットや、第２吸収層において周囲の第２吸収層の目付よりも低い目付である低目付領域、第２吸収層において厚み方向において圧搾した圧搾部、及び第２吸収層と目付が異なる目付境界部などによって構成されていてもよい。
【００９３】
更に、補助シート２６の幅方向外側端部は、第２吸収層折り基点２３Ａと幅方向において略一致している。よって、更に、第２吸収層折り基点２３Ａを起点に第２吸収層を折り易くできる。なお、一対の第２吸収層折り基点２３Ａ間の距離は、８０ｍｍであり、補助シートの幅方向の長さは、８０ｍｍである。
【００９４】
第２吸収体は、第２吸収層折り基点２３Ａよりも幅方向外側の一対の折り目ＦＬを起点に、幅方向内側に折り返されている。具体的には、第２吸収体を構成する第２表面シート２１，第２サイド吸収層２４、第２吸収層裏面シート２５、及び第２裏面防漏シート２２が折り畳まれている。折り目ＦＬを起点に折り返された第２吸収体の幅方向外側端部（折り返された部分の幅方向内側端部）は、サイド連結部３１を介して第１吸収体にホットメルト接着剤で接合されている。一対のサイド連結部間の第２吸収体の幅方向の長さは、一対のサイド連結部間の第１吸収体の幅方向の長さよりも長い。当該長さの測定は、使い捨ておむつの製品幅方向中心線に対して直交する幅方向に沿って製品を切断し、その切口の断面にて、第２吸収体の表面シート側におけるサイド連結部間（サイド連結部の幅方向内側同士）の距離及び第１吸収体の裏面シート側におけるサイド連結部間（サイド連結部の幅方向内側同士）の距離をメジャーや定規を用いて測定する。このとき、第２吸収体を製品外方向に、シワなく伸ばした状態で測定する。
【００９５】
サイド連結部３１のホットメルト接着剤は、スロットコーター方式で、15g/m2の塗工量で塗工される。なお、ビード方式で0.1g/mなどの量で、片側複数本、塗工してもよい。外れないように液がにじみ出ないように、十分な接着力が必要である。
【００９６】
（６）装着時の変形態様
次いで、図８から図１１を用いて、装着時の変形態様について説明する。図８から図１１は、図２のＡ−Ａ線基準とした使い捨ておむつの着用状態を示す図である。図８は、体液吸収前の脚を開いた状態である。図９は、体液吸収後の脚を開いた状態を示している。図１０は、体液吸収前の脚を閉じた状態を示している。図１１は、体液吸収後の脚を閉じた状態を示している。
【００９７】
第１吸収体１０と第２吸収体２０は、足の動きに応じて、規則的に変形する。着用者が足を閉じると、第１吸収体１０と第２吸収体２０が幅方向に折り畳まれる。具体的には、第１吸収体は、中央開口部１３Ａ及びサイドスリット１３Ｂを起点に変形し、第２吸収体は、第２吸収層折り基点２３Ａ及び折り目ＦＬを起点に変形する。
【００９８】
着用時には、第１吸収体の第１吸収体開口部１０Ａから、第２吸収体が着用者側に突出する。第１吸収体開口部１０Ａの周囲は、第１前後弾性部材１５及び第１幅弾性部材１６によって収縮する。また、第１吸収体開口部１０Ａに重なる位置の第２吸収体は、第２弾性部材によって収縮する。第２吸収体は、第２弾性部材によって収縮して肌当接面側に起立し、第１吸収体開口部１０Ａよりも肌当接面側に突出する。よって、第２吸収体が肌に密着する。
【００９９】
第１吸収体は、サイドスリット１３Ｂ部分が非肌当接面側に凸形状に変形し、サイド防漏弾性部材１９部分と第１前後弾性部材部分が内方向に凸状に変形する。よって、第１吸収体は、”略Ｖ字の形状が２つ幅方向に並んだ断面形状となる。
【０１００】
第２吸収体の幅方向中央は、第２吸収層折り基点部分を起点に凸形状に変形する。第２吸収体の幅方向外側端部は、サイド連結部３１を介して第１吸収体に接合されている。第２吸収体は、幅方向中央（第２弾性部材が配置された部分）及び幅方向外側端部が肌当接面側に凸状に変形する。第２吸収体の他の部分は、固定されてなく、体液を吸収する前の状態では、図８及び図１０に示すように、折り目ＦＬを起点に折り畳まれた状態を維持する。着用時に寝姿勢や座姿勢などで体圧のかからない、股下部に空間を設けることで、排泄物を吸収膨張することが可能となり、吸収することが可能となる。
【０１０１】
図１０及び図１１に示すように、着用者が脚を閉じると、着用者の肌には、第１吸収体及び第２吸収体の上方部が当接する。また、第１吸収体１０及び第２吸収体２０は、幅方向に折り畳まれており、装着時、おむつが装着者の股間部で折り畳められたときの断面の幅方向寸法が小さい。よって、着用者の股間部にコンパクトに配置できる。例えば、おむつが股間部で折り畳められたときの使い捨ておむつの幅方向の断面寸法が大きくなりすぎると、着用者の股下に収まらず、肌から離れることがある。それによって、排泄時には排泄速度の遅い尿などは、肌を伝ってしまい、第１吸収体開口部１０Ａから突出した第２吸収体２０によって体液を迅速に吸収できなくなる。なお、吸収体の幅方向の断面寸法は、１５mm未満がよく、より望ましくは、12mm以下である。
【０１０２】
また、第２サイド吸収層は、第２吸収体の幅方向中央よりも外方向側に位置する。体液が排出された際には、第２中央吸収層２３から下方の第２サイド吸収層に体液が移行し、当該第２サイド吸収層が吸収主体となる。第２サイド吸収層２４は、第２中央吸収層２３よりも多くのSAPを有しており、多くの体液を吸収して膨らむ。第２吸収層の第２吸収層折り基点からサイドスリット１３Ｂ辺りの領域は、着用者から離れているため、幅方向の断面寸法が大きくなった場合であっても、フィット性に対する影響は少ない。よって、第２吸収層の第２吸収層折り基点からサイドスリット１３Ｂ辺りの領域（着用時に肌から離れる領域）に、ＳＡＰを多く配置するとよい。
【０１０３】
図１０に示す状態で体液を吸収すると、図１１に示すように、第２吸収体が変形する。第２中央吸収層２３は、第２弾性部材２８によって起立性を維持し、第２中央吸収層２３が膨らんだ後も肌に密着し続ける。第２中央吸収層２３と第２サイド吸収層２４の境界からサイド連結部３１までの領域は、大きく袋状になって膨らむ。
【０１０４】
（７）作用・効果
第２中央吸収層２３は、第２弾性部材２８の収縮によって着用者の肌当接面側に隆起し、第１吸収体の第１吸収体開口部１０Ａより内方向に突出して、着用者の肌(排泄口)に密着する。第２中央吸収層２３が着用者の股間部に密着しているので、肌伝いするような排泄スピードが遅い尿であっても、第２中央吸収層２３に引き込まれ、漏れが生じ難い。更に、第２吸収体の第２弾性部材２８の収縮によって、排泄物を吸収後も、第２吸収層中央部の肌方向へ起立状態を維持し、第２中央吸収層２３が肌に密着し続ける。よって、着用者から排出された体液の引き込み性を高め、装着感の悪化や漏れの発生を抑制することができる。第２吸収体２０は、第２弾性部材２８によって持ち上げ続けられているため、非肌当接面側に大きく膨らまない。よって、使い捨ておむつの外観を良好に保つことができる。
【０１０５】
第１吸収体開口部１０Ａの周縁部には、第１前後弾性部材１５及び第１幅弾性部材１６が配置されて内方向に起立する立体ギャザーを形成している。肌側に密着した第２中央吸収層２３と、第１吸収体開口部１０Ａの周縁部との間に隙間が形成されている。よって、一度に吸収されない尿は、第２中央吸収層２３の表面上を流れ、第２中央吸収層２３の幅方向や前後方向に拡散する。
【０１０６】
第２弾性部材２８よりも幅方向外側には、サイド曲部としての第２吸収層折り基点２３Ａが設けられている。第２吸収層の第２吸収層折り基点２３Ａ部分は、外方向に凸形状に曲がる。第２中央吸収層に排出された体液は、下方に流れ、第２吸収層折り基点２３Ａ側に導かれる。第２吸収層折り基点２３Ａは、第１吸収体１０と離間しており、第２吸収層折り基点２３Ａと第１吸収体１０との間には、空間が形成されている。当該空間によって一度に吸収しきれない尿を一時的に保水させ、徐々に体液を拡散させつつ吸収できる。
【０１０７】
第１吸収体開口部１０Ａを介して露出する第２表面シートとして、厚みが０．３５ｍｍ以上のエアスルー不織布を用いることで、中央開口部と重なる第２吸収層からの体液の逆戻りが少なくなり、吸収性本体の肌側全面において体液の逆戻りを抑制できる。
【０１０８】
また、第１吸収体の第１吸収体開口部１０Ａの後部に隣接した領域は、第１幅弾性部材１６によって幅方向に収縮し、上方へ起立するギャザーとなる。第１吸収体の第１吸収体開口部１０Ａの後部に隣接した領域にギャザーがあるため、排泄物が第２吸収層から第１吸収体に流れ出し難くなる。
【０１０９】
また、第２中央吸収層２３における吸収スピードが尿の排出スピードに対して追いつかなくなると、体液が第１吸収体に溢れ出す。第１吸収体の幅方向両側部は、防漏カフによって肌側に起立している。よって、体液が第１吸収体に溢れ出した場合であっても、第１吸収体の両側部からの漏れを防止できる。また、体液が第１吸収体に溢れ出した場合には、第１吸収体開口部１０Ａの周囲に体液が流れる。その際、第１吸収体開口部１０Ａの前後方向外側及び幅方向外側に位置する第１吸収層１３によって排泄物を吸収でき、第１吸収体の端部からの漏れを防ぐことができる。
【０１１０】
第１吸収体１０は、第１吸収体開口部１０Ａ以外の領域で第２吸収体２０を覆っている。排泄された尿，(あるいは便)は、まず、外方向に位置する第２吸収層に吸収され、その後、第１吸収層１３に吸収される。よって、肌に直接触れる第１吸収体の濡れる面積は小さい。よって、肌が濡れる面積も小さくできる。
【０１１１】
また、第２中央吸収層２３で吸収されない尿は、第１吸収体の非肌当接側の面に位置する第１裏面シートに接触する。第１裏面シート１２が親水性のシートであるため、第１裏面シート１２を介して第１吸収層１３に体液が移行する。第１表面シート側からら第１吸収層１３に体液が移行するだけでなく、第１裏面シート側から第１吸収層１３に体液が移行するため、第１吸収層１３を有効に活用できる。
【０１１２】
第２吸収層のＳＡＰの比率が第１吸収層１３より高く構成されている。また、第２吸収層が第２弾性部材や第２吸収層折り基点によって規則的に変形する。よって、吸収前の第２吸収層は、薄く、身体にフィットする。吸収後の第２吸収層は、大きく膨らむが、第２弾性部材２８の収縮によって肌側に当て続けられる。肌から離れた第２サイド吸収体のＳＡＰの比率が第１吸収体のＳＡＰの比率よりも高いため、使い捨ておむつの肌に近い部分は、吸収後に厚くなり過ぎない。よって、肌への密着性を保つことができる。肌から離れた第２サイド吸収層２４で体液を吸収するため、当該第２サイド吸収層２４が膨らんだ場合であっても、装着感を損なうことなく、衣類の外から目立ち難くできる。更に、肌から離れた第２サイド吸収層２４で体液を吸収できるため、吸収された排泄物の臭いが着用者側に届きにくく、防臭効果を得ることができる。
【０１１３】
また、第１吸収体と第２吸収体が着用時に規則的に折り畳まれるため、装着時、おむつが装着者の股間部で折り畳められたときの断面の幅方向寸法が小さくなる。着用者の股間部に配置される使い捨ておむつの厚み（幅方向の寸法）が小さくなるため、装着時の違和感を抑制できる。
【０１１４】
第２吸収層の第２吸収層折り基点部分が外方向に凸状に変形するため、当該第２吸収層折り基点側に体液が移行する。体液は、第２吸収層の第２吸収層折り基点部で吸収される。第２吸収層の第２吸収層折り基点部分は、身体から離れているため、吸収した後に第２吸収層の第２吸収層折り基点部分が膨らんだ場合であっても、違和感を抑えることができる。
【０１１５】
第２中央吸収層２３と第２サイド吸収層２４の境界からサイド連結部３１までの領域は、着用者の肌から離れており、かつ着用者の内股の圧力のかかりにくい位置にある。よって、第２中央吸収層２３と第２サイド吸収層２４の境界からサイド連結部３１までの領域が膨らんだ場合であっても、装着時の違和感は少ない。
【０１１６】
体液の吸収前及び体液の吸収後の両方において、使い捨ておむつの幅方向の断面形状は、肌に近い側の寸法が肌から遠い側の寸法よりも小さい略三角形となる。このような観点から第２中央吸収層の幅方向中央部の厚みは、薄い方が好ましい。第２中央吸収層２３のパルプの合計目付は、350g/m2未満であることが好ましい。
【０１１７】
また、第１吸収体１０と第２吸収体２０とが接合されていない領域があるため、第１吸収体１０と第２吸収体２０との間に,第２吸収層のＳＡＰが膨らむための空間を確保できる。第１吸収体１０と第２吸収体２０の間の空間は、第２吸収体の面積や第２吸収体のたくれ度合い等によって適宜調整できる。第１吸収体１０と第２吸収体２０の間の空間の容積が大きいほど、第２吸収体で体液を吸収し終えるまでの（貯水)時間をかせぐことができる。
【０１１８】
また、装着ずれ等の要因によって、例えば、第１吸収体開口部１０Ａが着用者の排泄口とずれてしまうことがある。このような場合には、従来の吸収性物品と同じように、第１吸収体１０によって体液を吸収できる。更に、第１吸収体の第１裏面シート１２が透液性であるため、第１裏面シートを介して、第１吸収層１３から第２吸収層に排泄物を移行できる。より好適には、第１吸収層のサイドスリット１３Ｂ周辺において第１吸収体に開口部や切り込みを形成することにより、非肌当接面側に凸状に変形するサイドスリット１３Ｂ側に移動した排泄物を第２吸収体へスムーズに移行させて、効率的に吸収できる。
【０１１９】
本実施形態の使い捨ておむつは、吸収体の吸収性能を有効活用でき、使い捨ておむつの股下域において集中的に吸収できるため、従来の使い捨ておむつよりも吸収体をコンパクトにできる。材料コストを低減でき、かつ重量が軽くなる。更に、使用前の使い捨ておむつがコンパクトであり、使い捨ておむつのパッケージもコンパクトとなり、携帯性を向上できる。
【０１２０】
使い捨ておむつは、着用者から排出された体液を外方向に位置する第２吸収層によってまず吸収する。従来おむつにおいて、排尿があった場合の濡れを検知するためのインジケータ（濡れると色が変わる等）を、おむつの裏面シート側に配置しているものが知られている。本実施形態の使い捨ておむつにおいて、第２吸収体の裏面側（非肌当接面側）であり、かつ第１吸収体開口部１０Ａに重なる位置にインジケータを設けることにより、少量の排泄量であって排泄物を検知し外側から濡れを認識し易くなる。
【０１２１】
（８）その他の実施形態
次いで、図１２〜図１８に基づいて変形例に係る使い捨ておむつについて説明する。なお、以下の変形例の説明は、上述の実施の形態と異なる部分を説明し、実施の形態と同様の構成については、同符号を用いて説明を省略する。
【０１２２】
図１２及び図１３に基づいて、変形例１に係る使い捨ておむつ１００Ａについて説明する。図１２は、変形例１に係る使い捨ておむつ１００Ａの展開裏面図であり、図１３は、図１２に示すＣ−Ｃ線に沿った断面図である。
【０１２３】
変形例１に係る使い捨ておむつ１００Ａが実施の形態の使い捨ておむつ１と比較して異なる点は、（１）前外装体１ＢＦと後外装体１ＢＲとが分離している点、（２）第２吸収体の非肌当接側の面に接合手段を備える点、（３）第２カバーシートの幅が広く、第２吸収層裏面シートを備えていない点、（４）第２吸収体の折り畳み状態の幅方向の長さが長く、折り返し幅が小さい点、（５）サイド連結部の位置が実施の形態のサイド連結部よりも幅方向外側である点である。
【０１２４】
（１）について具体的には、使い捨ておむつ１００Ａは、センター外装体を備えずに、前外装体と後外装体とが前後方向に離間している。また、前外装体と後外装体は、吸収性本体よりも肌当接面側に配置されている。
【０１２５】
（２）について具体的には、使い捨ておむつは、第２裏面防漏シート２２の非外方向側の面に、一対の接合手段３２と、当該接合手段３２を覆う離型シート３３と、を備える。接合手段３２は、使用前には、離型シート３３によって覆われている。使用時に離型シート３３が剥がされることによって、接合手段３２が露出する。接合手段３２は、中央曲部である第２弾性部材２８を介して第２吸収層が収縮した状態を維持するために、第２裏面防漏シート２２同士を接合するように構成されている。
【０１２６】
また、変形例１に係る使い捨ておむつ１００Ａは、第２吸収層裏面シート２５を備えていない。第２弾性部材２８は、第２裏面防漏シート２２と第２カバーシート２７の間に配置されている。第２弾性部材２８が収縮すると、第２弾性部材２８と重なる第２中央吸収層２３が肌当接面側に起立して、第１吸収体開口部１０Ａを介して第２吸収体２０が着用者側に露出する。このとき、第２裏面防漏シート２２の外方向側の面は、折り畳まれて第２裏面防漏シート２２同士が対向して配置される。第２裏面防漏シート２２の外方向側の面に接合手段３２が設けられているため、接合手段３２同士又は接合手段３２と第２裏面防漏シート２２が接合する。よって、第２中央吸収層２３が肌当接面側に起立した状態を維持し易くなる。接合手段３２によって、第２中央吸収層２３が肌当接面側に起立するように縮められた状態で保持できるので、このとき第２弾性部材２８はなくてもよい。
【０１２７】
なお、接合手段３２は、第２裏面防漏シート同士を接合できるものであればよく、例えば、接着剤によって構成される。変形例１に係る接合手段は、ホットメルト型接着剤によって構成されている。
【０１２８】
また、変形例１に係る使い捨ておむつ１００Ａは、サイド防漏シート１７及びサイドカバーシート１８の端部のうち、第１吸収層１３の裏面側に位置する端部が、サイドスリット１３Ｂよりも幅方向外側に位置する。サイド連結部３１も、サイドスリット１３Ｂよりも幅方向外側に位置する。第１カバーシート１４は、第１前後弾性部材１５を覆うように配置されている。
【０１２９】
第２吸収体の折り畳み状態の幅方向の長さが長く、また折返し後、幅方向外側(実施形態ではサイドスリット１３Ｂの内側であるのに対しサイドスリット１３Ｂより外側）にサイド連結部が設けられているが、第１吸収体のサイド防漏シートと、第２吸収体の防漏シートとの重なり部、またサイド連結部が実施形態１よりも幅方向外側に位置しているため、第１吸収体の裏面側から第２表面シートに液移行できる面積が広く、かつ第２吸収体の表面側で吸収しきれない排泄物を、第１吸収体裏面側より第１吸収層で吸収できる面積が広いので、吸収体をより有効的に使用できる。
【０１３０】
図１４及び図１５に基づいて、変形例２に係る使い捨ておむつ１００Ｂについて説明する。図１４は、変形例２に係る使い捨ておむつ１００Ｂの展開平面図であり、図１５は、図１４に示すＤ−Ｄ線に沿った断面図である。
【０１３１】
変形例２に係る使い捨ておむつ１００Ｂが実施の形態の使い捨ておむつ１と比較して異なる点は、（１）第１吸収層にサイドスリットが形成されてない点、（２）第１吸収体の第１吸収体開口部近傍に立体ギャザーを備える点、（３）前外装体１ＢＦと後外装体１ＢＲとが分離している点、である。
【０１３２】
立体ギャザーは、第１前後弾性部材１５及び第１幅弾性部材１６の代わりに設けられている。立体ギャザーは、立体ギャザーシート３４と、立体ギャザー弾性部材３５と、によって構成されている。立体ギャザーシート３４は、第１表面シートの肌当接側の面にホットメルト型接着剤を介して接合されている。立体ギャザーシート３４は、吸収性本体の前後方向の全領域に配置されており、左右に離間して配置されている。立体ギャザーシート３４は、例えば、親水性のSMS不織布15g/m2によって構成される。なお、立体ギャザーシート３４は、親水性のシートであってもよいし、疎水性のシートであってもよい。立体ギャザーシート３４の幅方向内側端部は、前後方向に沿った折り目を基点に折り畳まれている。立体ギャザー弾性部材３５は、折り畳まれた立体ギャザーシート３４間に配置されている。また、立体ギャザー弾性部材３５は、スパンデックスによって構成されている。立体ギャザー弾性部材３５は、６２０ｄｔｅｘの太さ、２．０倍の伸長率で左右それぞれ２本ずつ伸長固定されている。
【０１３３】
当該立体ギャザーが収縮することによって、第１吸収体開口部１０Ａの周縁が起立し、かつ第１吸収体開口部１０Ａを介して第２吸収体２０が露出し易くなる。また、第１吸収層１３の中央開口部１３Ａは、第１吸収体開口部１０Ａのよりも一回り大きい。第１吸収層１３の中央開口部１３Ａの縁部と、第１吸収体開口部１０Ａの縁部との間の領域では、第１表面シート１１と第１裏面シート１２とが接着されている。よって、第１吸収層１３の側部が露出することを抑制できる。
【０１３４】
立体ギャザーの幅方向内側端部は、第１吸収体開口部１０Ａの前後方向に延びる縁部よりも幅方向内側に２０ｍｍずつ延出している。このような使い捨ておむつを着用した状態では、立体ギャザーの立ち上がり基点となる基端部（立体ギャザーシート３４が第１表面シートに固定された部分）辺りが、第1吸収体が変形する曲部となる。すなわち、立体ギャザーの立ち上がり基点となる基端部は、第１サイド曲部を構成する。第１吸収体は、立体ギャザーの立ち上がり基点が非肌当接面側に凸状に変形する。第１吸収体の幅方向両端部は、サイド防漏弾性部材１９の収縮によって着用者側に起立する。なお、第１吸収体をより変形させ易くするために、第１サイド曲部としての立体ギャザーの基端部と第１吸収体の非肌当接面（本変形例２の形態では、第１裏面シート１２）を第２吸収体の肌当接面側に接合してもよい。
【０１３５】
また、使い捨ておむつ１００Ｂは、センター外装体を備えずに、前外装体と後外装体とが前後方向に離間している。また、前外装体と後外装体は、吸収性本体よりも肌当接面側に配置されている。
【０１３６】
次いで、変形例３に係る使い捨ておむつ１００Ｃについて、説明する。図１６は、変形例３に係る使い捨ておむつ１００Ｃの展開平面図である。変形例３に係る使い捨ておむつ１００Ｃが実施の形態の使い捨ておむつ１と比較して異なる点は、（１）前外装体と後外装体とが分離している点、（２）第１吸収体開口部の前側端部及び第１吸収層の中央開口部１３Ａの前側端部が、前外装体１ＢＦと重なって配置されている点である。
【０１３７】
（１）について具体的には、使い捨ておむつ１００Ａは、センター外装体１ＢＣを備えずに、前外装体と後外装体とが前後方向に離間している。また、前外装体と後外装体は、吸収性本体よりも肌当接面側に配置されている。
【０１３８】
（２）について具体的には、第１吸収体開口部１０Ａの前側端部は、前外装体１ＢＦと重なる位置まで延びている。吸収性本体１Ａの前側端部の内方向側の面は、前外装体及び後外装体に固定されている。よって、第１吸収体開口部１０Ａの幅方向外側には、第１前後弾性部材１５が配置され、第１吸収体開口部１０Ａの前後方向外側の前方には胴回り弾性部材を含む胴回り外装シートが配置され、第１吸収体開口部１０Ａの後方には、第１幅弾性部材１６が配置されている。第１吸収体開口部１０Ａは、各弾性部材が収縮することによるギャザーによって四方を囲まれる。よって、第１吸収体開口部１０Ａの周縁が、身体に押し当てられ易くなる。
【０１３９】
第１吸収体開口部と重なる領域のうち、第２弾性部材と重なる領域は、第２中央吸収層が着用者の肌に当接するように装着される。少なくとも、第１吸収体開口部１０Ａと前外装体とが重なる部分の前後方向内側には、前記第２弾性部材が収縮するように配置されていないので、前記第１吸収体開口部１０Ａと前外装体とが重なる部分の前後方向内側では、第１吸収体と第２吸収体の間に空間が形成される。
【０１４０】
また、着用者が男性の場合、男性性器は、第１吸収と第２吸収体の間の隙間に収容され、また一旦収納された後に空間からはみ出し難い。よって、第２吸収体に対して直接排泄することができる。例えば、吸収スピードが排泄スピードより遅い場合であっても、第１吸収体と第２吸収体との間の空間において一時的に貯水でき、漏れを抑制しつつ吸収できる。
【０１４１】
なお、着用者が男性の場合には、排泄口から股間に流れてきた尿を第２吸収層によって吸収できる。例えば、男性性器が入るように開口部の長さを調整し、男性性器の位置に第２弾性部材２８を配置しないように構成してもよい。当該構成によれば、男性性器が第１吸収体と第２吸収体の間にできるポケット空間に収まり、尿が直接第２吸収層に吸収される。体液を第２吸収体にて吸収でき、第１吸収体からの漏れを防ぐことができる。このときサイド連結部のみならず、吸収性本体の前側と後側に第１吸収体と第２吸収体を連結する連結部を設けることにより、第１吸収体と第2吸収体の間から外漏れすることを防止できる。なお、男性専用の使い捨ておむつにあっては、後胴回り領域までは必要なく、製品股下領域まででよい。さらには、男性専用の使い捨ておむつにあっては、製品前後方向中心線の近傍まで短くすることが可能である。また、男性専用の吸収性パッドにおいても、吸収体長さ（製品長さ）を短くすることができる。よりコンパクトになり、コスト低減すると共に着用感を向上できる。
【０１４２】
次いで、変形例４に係る吸収性物品としての吸収パッド１００Ｄについて、説明する。図１７は、変形例４に係る吸収パッド１００Ｄの展開平面図である。図１８は、図１７に示すＥ−Ｅ線に沿った断面図である。変形例４に係る吸収パッド１００Ｄが実施の形態の使い捨ておむつ１と比較して異なる点は、（１）外装体を備えていない点、（２）第２吸収体が左右それぞれにおいて２回折り畳まれている点、（３）第１前後弾性部材及び第１幅弾性部材としての伸縮性シートを有する点である。
【０１４３】
（１）について具体的には、変形例に係る吸収パッドは、吸収性本体のみから構成され外装体を備えていない。吸収パッド１００Ｄは、下着等の衣服に止着することによって使用される。
【０１４４】
（２）について具体的には、第２吸収体２０の幅方向両端部は、それぞれ第１吸収体１０の幅方向両端部にサイド連結部３１を介して接合され、サイド連結部３１よりも幅方向内側において第１折り目ＦＬ１を基点に幅方向外側に向かって折り返されている。第１折り目ＦＬ１を基点に折り返された第２吸収体２０は、サイド連結部３１よりも幅方向外側において第２折り目ＦＬ２を基点に幅方向外側から幅方向内側に向かって折り返されている。よって、第２吸収体２０は、第１吸収体１０に対してたくれ部を有しており、第２吸収体２０が展開することにより、第２吸収体２０が袋状に変形する。
【０１４５】
第２折り目（ＦＬ２)の幅方向の位置は、サイドスリット１３Ｂの幅方向の位置とほぼ同じである。なお、第２折り目の幅方向の位置は、サイドスリット１３Ｂよりも幅方向内側であってもよいし、幅方向外側であってもよい。また、第２折り目の幅方向の位置がサイドスリット１３Ｂの幅方向の位置よりも外側であると、第１折り目部分が外方向に伸び難くなることがある。しかし、第２折り目の幅方向の位置がサイドスリット１３Ｂの位置に同じか、内側にあれば、着用者の足を内方向に動かすことで、第２折線となる第2吸収層サイド屈曲部が、非肌側に向いて折れ曲がり、第1吸収体との間に空間を形成しやすくなる。
【０１４６】
（３）について具体的には、第１裏面シート１２の外方向側の面に接合された伸縮性シート３６を有する。伸縮性シート３６は、幅方向及び前後方向に伸縮する伸縮不織布である。伸縮性シート３６は、第１吸収体開口部１０Ａを形成する前に、第１吸収層１３の中央開口部１３Ａを覆って接合される。その後に、第１吸収体開口部１０Ａを形成する。伸長状態における伸縮不織布の幅方向の長さは、75mmであり、伸長状態における伸縮不織布の前後方向の長さは、280mmとした。伸縮不織布の伸張倍率は、前後方向において2.0倍，幅方向において1.8倍である。
【０１４７】
第１裏面シート１２は、透水性である。よって、下方に位置する第２吸収体側に体液を透過させることができる。また、更に、透水性を高めるために、第１裏面シート１２の一部（例えば、非肌当接面側に凸形状となるサイドスリット１３Ｂと重なる位置）に、開口や切込みを設けてもよい。当該開口や切込みを介して、第２吸収体側への体液の透過性をさらに促進できる。なお、第１裏面シートに開口を形成する場合には、開口の周縁が口開きしないように、接着剤や熱シールによって開口周縁の第１表面シートと第１裏面シートとの間を、また第１裏面シートと第１吸収層１３との間を接合することが好ましい。
【０１４８】
なお、第１吸収層１３には、サイドスリット１３Ｂが形成されていなくてもよい。
【０１４９】
また、第１吸収体は、装着時にサイドスリット１３Ｂを基点に外方向に凸状に変形するため、第１表面シートのサイドスリット１３Ｂと重なる位置に体液が流れ込み易い。例えば、サイドスリット１３Ｂに重なるように第１表面シート11または第１裏面シート１２に第１吸収体開口部１０Ａを形成してもよい。第１表面シート１１の開口部を介して、第１吸収層に体液をより円滑に導くことができる。また、開口部は、切り込みであってもよい。
【０１５０】
なお、第１前後弾性部材１５と第１幅弾性部材１６は、必ずしも設けられていなくてもよい。また、第１前後弾性部材１５と第１幅弾性部材１６は本実施の形態のように、別々に設けてもよいし、開口部を含む大きさの伸縮性シートを１枚配置し、第１吸収体開口部１０Ａの周縁部を幅方向又は前後方向に収縮させてもよい。また、第１前後弾性部材１５のみを配置してもよいし、第１幅弾性部材１６のみを配置してもよい。更に、第１吸収体開口部１０Ａの前側に第１幅弾性部材１６を設けてもよい。
【０１５１】
第１前後弾性部材１５と第１幅弾性部材１６の位置は、サイド防漏シート１７とサイドカバーシート１８の間や第１裏面シート１２と第１カバーシート１４の間に限られない。例えば、第１カバーシート１４を設けずに、当該第１前後弾性部材等を直接、第１表面シート１１や第１裏面シート１２に取り付けてもよい。
【０１５２】
第２吸収層は、パルプとSAPを混合した第２中央吸収層と、ＳＡＰのみで構成された第２サイド吸収層と、によって構成されているが、当該構成に限られない。例えば、第２吸収層を上下の２層構造として、パルプとSAPを混合した上層と、ＳＡＰのみならなる下層と、によって構成してもよい。また、第２吸収層全体をＳＡＰのみで構成してもよいし、第２吸収層全体をパルプのみで構成してもよい。
【０１５３】
更に、吸収スピードが異なる２種類以上のＳＡＰを用い、配置する部位によって、ＳＡＰを使い分けてもよい。具体的には、第２吸収層の中央に、吸収スピードが速いSAPを配置し、第２吸収層の側部に、吸収スピードが遅いＳＡＰを配置できる。また、第２吸収層は、熱可塑性繊維(短繊維,長繊維,連続) や発泡ポリウレタンを含んでいてもよいし、エアレイドシートによって構成されていてもよい。
【０１５４】
吸収性本体の大きさ、吸収体の吸収量、及び第１吸収体と第２吸収体との間にできる隙間（袋)の容積等は、対象とする使用者の排泄量や排泄スピードによって適宜調整することが望ましい。
【０１５５】
また、本実施の形態の第２吸収体は、サイド連結部３１よりも幅方向外側に延出していてもよい。
【０１５６】
第２吸収体２０の前後方向の長さは、第１吸収体１０の前後方向の長さと同じであってもよいし、第１吸収体の前後方向の長さよりも長くてもよいし、第１吸収体の前後方向の長さよりも短くてもよい。
【０１５７】
第２吸収層裏面シートは、幅方向又は前後方向に伸長する伸長性を有し、第２吸収層が体液を吸収することによって幅方向又は前後方向に伸長するように構成されていてもよい。第２吸収層裏面シートが伸長性を有することにより、第２吸収層において体液を吸収し、２吸収層の重量や膨らみが大きくなった場合に、第２吸収層裏面シートが幅方向又は前後方向に伸びて、第１吸収体と第２吸収体との間の空間を大きく形成できる。よって、更に排泄物を貯水し、且つ吸収する空間を設けることができる。このような第２裏面防漏シートとしては、防水性フィルムと伸縮性不織布を貼り合わせた複合シートを例示できる。
【０１５８】
また、サイド連結部間の距離は、後方から前方に向かうにつれて長くなるように構成してもよい。当該構成によれば、後方よりも股間部において空間が大きくなる。当該長さの測定は、使い捨ておむつの製品幅方向中心線に対して直交する幅方向に沿って製品を切断し、その切口の断面にて、第２吸収体の表面シート側におけるサイド連結部間（サイド連結部の幅方向内側同士）の距離をメジャーや定規を用いて測定する。このとき、第２吸収体を製品外方向に、皺なく伸ばした状態で測定する。第1吸収体の裏面側のサイド連結部間の距離を、第1吸収体を皺なく伸ばした状態で測定し、第2吸収体の表面シート側において測定した距離と比較する。
【０１５９】
なお、本実施の形態では、防漏カフを第１吸収体に設けているが、この構成に限られない。例えば、第１吸収体に防漏カフを設けずに、第２吸収体２０に防漏カフを設けてもよいし、第１吸収体と第２吸収体２０の両方に防漏カフを設けてもよい。また、第１吸収体と第２吸収体２０の両方に防漏カフを設けなくてもよい。
【０１６０】
例えば、上述した実施の形態では、パンツ型の使い捨ておむつとして説明したが、本発明は、これに限定されるものではなく、オープン型の使い捨ておむつ、失禁用パッド及び生理用ナプキンなどに適用してもよい。
【符号の説明】
【０１６１】
１、１００Ａ、１００Ｂ、１００Ｃ、１００Ｄ  ：使い捨ておむつ（吸収性物品）
１Ａ      ：吸収性本体
１Ｂ      ：外装体
３Ａ      ：ウエスト弾性部材
３Ｂ      ：フィット弾性部材
５Ｆ      ：前レッグ弾性部材
５Ｒ      ：後レッグ弾性部材
４、４’  ：前胴回り縁部
６、６‘  ：後胴回り縁部
７        ：接合部
８        ：腰回り開口部
９        ：脚回り開口部
１０      ：第１吸収体
１０Ａ    ：第１吸収体開口部
１１      ：第１表面シート
１２      ：第１裏面シート
１３      ：第１吸収層
１３Ａ    ：中央開口部
１３Ｂ    ：サイドスリット
１４      ：第１カバーシート
１５      ：第１前後弾性部材
１６      ：第１幅弾性部材
１７      ：サイド防漏シート
１８      ：サイドカバーシート
１９      ：サイド防漏弾性部材
２０      ：第２吸収体
２１      ：第２表面シート
２２      ：第２裏面防漏シート
２３      ：第２中央吸収層
２３Ａ    ：第２吸収層折り基点
２４      ：第２サイド吸収層
２５      ：第２吸収層裏面シート
２６      ：第２補助シート
２７      ：第２カバーシート
２８      ：第２弾性部材
３１      ：サイド連結部
３２      ：接合手段
３３      ：離型シート
３４      ：立体ギャザーシート
３５      :立体ギャザー弾性部材
３６      ：伸縮性シート
７１      ：前側外装シート
７２      ：後側外装シート
７３      ：胴回り弾性部材
ＩＮ      ：内方向
ＯＵＴ    ：外方向
Ｌ        ：前後方向
Ｔ        ：厚み方向
Ｗ        ：幅方向
Ｓ１      ：前胴回り域
Ｓ２      ：後胴回り域
Ｓ３      ：股下域
【図１】
2015039394.tif 000003
【図２】
2015039394.tif 000004
【図３】
2015039394.tif 000005
【図４】
2015039394.tif 000006
【図５】
2015039394.tif 000007
【図６】
2015039394.tif 000008
【図７】
2015039394.tif 000009
【図８】
2015039394.tif 000010
【図９】
2015039394.tif 000011
【図１０】
2015039394.tif 000012
【図１１】
2015039394.tif 000013
【図１２】
2015039394.tif 000014
【図１３】
2015039394.tif 000015
【図１４】
2015039394.tif 000016
【図１５】
2015039394.tif 000017
【図１６】
2015039394.tif 000018
【図１７】
2015039394.tif 000019
【図１８】
2015039394.tif 000020